(57)【特許請求の範囲】
【請求項１】
番組の放送を受信する受信手段と、
前記受信手段で受信された電子番組情報を標準電子番組情報表示形式で表示する第１電子番組情報表示手段と、
前記標準電子番組情報表示形式に較べて、その電子番組情報の中の少なくともシンボルの部分が拡大し、もしくは新たに少なくともシンボルが追加され、また前記標準電子番組情報表示形式のテキスト部分の全部または一部が変形されもしくは削除される特殊電子番組情報表示形式で、前記電子番組情報を表示する第２電子番組情報表示手段とを備え、
前記第２電子番組情報表示手段は、前記番組の放映時間が所定の時間よりも長い場合、前記シンボルに加えて、前記番組のテキストデータも表示することを特徴とする電子番組情報表示装置。
【請求項２】
番組の放送を受信する受信手段と、
前記受信手段で受信された電子番組情報を標準電子番組情報表示形式で表示する第１電子番組情報表示手段と、
前記標準電子番組情報表示形式に較べて、その電子番組情報の中の少なくともシンボルの部分が拡大し、もしくは新たに少なくともシンボルが追加され、また前記標準電子番組情報表示形式のテキスト部分の全部または一部が変形されもしくは削除される特殊電子番組情報表示形式で、前記電子番組情報を表示する第２電子番組情報表示手段とを備え、
前記第２電子番組情報表示手段は、前記番組の放映時間が所定の時間よりも長い場合、前記番組内の代表画面を追加表示することを特徴とする電子番組情報表示装置。
【請求項３】
番組の放送を受信する受信手段と、
前記受信手段で受信された電子番組情報を標準電子番組情報表示形式で表示する第１電子番組情報表示手段と、
前記標準電子番組情報表示形式に較べて、その電子番組情報の中の少なくともシンボルの部分が拡大し、もしくは新たに少なくともシンボルが追加され、また前記標準電子番組情報表示形式のテキスト部分の全部または一部が変形されもしくは削除される特殊電子番組情報表示形式で、前記電子番組情報を表示する第２電子番組情報表示手段とを備え、
前記第２電子番組情報表示手段は、前記番組の放映時間が所定の時間よりも短かい場合、前記シンボル及び前記テキスト部分を表示せず、カーソルが前記番組欄に位置したとき、前記番組欄を拡大して、少なくとも前記シンボルを表示することを特徴とする電子番組情報表示装置。
【請求項４】
前記シンボルは番組放送に多重化されていることを特徴とする請求項１〜３のいずれかに記載の電子番組情報表示装置。
【請求項５】
前記シンボルは電子番組情報表示装置自らが作成することを特徴とする請求項１〜３のいずれかに記載の電子番組情報表示装置。
【請求項６】
前記受信手段が受信した、所定の時間に放送される前記シンボルと前記シンボルに対応付けられたシンボルＩＤを保存しておく格納手段を備え、
前記受信手段は、番組放送に多重化されて伝送される番組を一意に特定する番組ＩＤと前記番組に対応するシンボルＩＤを受信し、
前記第２電子番組情報表示手段は、前記番組ＩＤに対応付けられたシンボルＩＤで特定されたシンボルを表示することを特徴とする請求項１〜３のいずれかに記載の電子番組情報表示装置。
【請求項７】
前記シンボル及び前記シンボルを一意に特定するシンボルＩＤが放送とは異なる媒体で提供され、前記媒体を通じて前記シンボル及び前記シンボルＩＤを受信し保存する読み取り手段と、
前記電子番組情報で番組を一意に特定する番組ＩＤを抽出し前記シンボルＩＤと対応付ける対応付け手段とを備え、
前記第２電子番組情報表示手段は、前記番組ＩＤに対応付けられたシンボルＩＤで特定されたシンボルを表示することを特徴とする請求項１〜３のいずれかに記載の電子番組情報表示装置。
【請求項８】
前記シンボル及び前記番組ＩＤがインターネット経由で提供されることを特徴とする請求項７記載の電子番組情報表示装置。
【請求項９】
前記シンボル及び前記番組ＩＤが可搬性記録媒体で提供されることを特徴とする請求項７記載の電子番組情報表示装置。
【請求項１０】
前記受信手段は、前記番組を受信し、前記第２電子番組情報表示手段は、受信された前記番組の内容から１画面または複数画面を取り込んで前記シンボルとして利用することを特徴とする請求項５記載の電子番組情報表示装置。
【請求項１１】
前記第２電子番組情報表示手段は、前記番組が所定の回数を単位として一定期間内で順次放映される継続型番組である場合、前記継続型番組で同一の前記シンボルを用いることを特徴とする請求項１〜１０のいずれかに記載の電子番組情報表示装置。
【請求項１２】
請求項１〜１１のいずれかに記載の電子番組情報表示装置の各手段の機能をコンピュータで実行させるためのプログラムを格納していることを特徴とするプログラム記録媒体。
【発明の詳細な説明】
【０００１】
【発明の属する技術分野】
本発明は、テレビ放送における番組情報を表示するための電子番組情報表示装置及びプログラム記録媒体に関するものである。
【０００２】
【従来の技術】
現在、テレビ番組の放送予定は、新聞や雑誌等によって、視聴者に知らされている。ところで、新聞や雑誌の代替となるものとして、ＥＰＧ（Ｅｌｅｃｔｒｉｃａｌ  Ｐｒｏｇｒａｍ  Ｇｕｉｄｅ：電子番組ガイド）というものが提案されており、将来的には、そのＥＰＧをも利用して、テレビ番組の放送予定が視聴者に知らされることになる。ＥＰＧは、テレビ放送局等から送信されるものであって、現在の新聞や雑誌等に記載されているようなテレビ番組の放送予定のデータであり、番組の放送予定日、時間帯、チャンネル、番組名、出演者、番組に関する詳細情報等が各番組毎に記載されたものである。
【０００３】
従来のＥＰＧ情報表示例について図５を参照して説明する。図５は従来のＥＰＧ情報の表示例を示す図である。このようにテレビ受像機やパソコンのディスプレイにＥＰＧ情報が表示される。横方向にチャンネルごとにＥＰＧ情報が表示されている。すなわちＮＨＫ総合、ＮＨＫ教育、毎日テレビ、ＡＢＣテレビ、関西テレビ、読売テレビの順にＥＰＧ情報が表示されている。またＥＰＧ情報が表示される時間帯は２１時から２２時となっている。テレビ受像機にＥＰＧ情報が表示されている場合はリモコンを用いて、またパーソナルコンピュータのディスプレイにＥＰＧ情報が表示されている場合はマウスを用いて表示画面をスクロールさせることができる。すなわち、２１時から２２時の時間帯のみならず、１２時から１４時までの時間帯など、自由に時間帯を変えてＥＰＧ情報を表示することが出来る。また横方向に画面をスクロールすることによって現在画面に表示されていないチャンネルのＥＰＧ情報を表示することができる。
【０００４】
また現在、衛星放送やケーブルテレビなどでは多チャンネルの放送が行われており、その分だけ表示すべき番組情報も増加の一途をたどっている。
【０００５】
視聴者は例えばＡＢＣ放送の２２時からの番組である「ニューステーション」の解説を読んで視聴するか視聴しないかを判断する。このように視聴者は番組欄に表示されている文字を読んで、視聴したいかどうかを判断する。
【０００６】
上述したような番組表を表示する従来の電子番組情報表示装置を図６を参照して説明する。本従来の技術では、ＣＳ（Ｃｏｍｍｕｎｉｃａｔｉｏｎ  Ｓａｔｅｌｉｔｅ）放送を受信して、番組を視聴する場合の電子番組情報表示装置を例にあげて説明する。
【０００７】
図６は、従来の電子番組情報表示装置の構成を示すブロック図である。
【０００８】
電子番組情報表示装置は、ＣＳチューナ１、ＱＰＳＫ復調２、ディスクランブル３、デマルチプレクサ４、トランスポートデコーダ５、ＭＥＰＧ２デコーダ６、チューナブロック制御部７、システム制御部８、ＥＰＧデータ管理部９、番組情報デコーダ１０、入力部１１、ＥＰＧ画面生成部１２、画面合成部１３、ＮＴＳＣエンコーダ１４、モニタ１５から構成される。
【０００９】
ＣＳチューナ１、ＱＰＳＫ復調２、デスクランブル３、デマルチプレクサ３、トランスポートデコーダ５、ＭＰＥＧ２デコーダ６をまとめて以下受信手段７０と呼ぶことにする。
【００１０】
ＣＳチューナ１は、番組供給事業者から供給された番組がアップリンク局から通信衛星にアップリンクされた後、ダウンリンクされた放送波を受信するチューナである。ＣＳ放送は、海外ではＤｉｒｅｃＴＶ、ＰｒｉｍＳｔａｒ、ＢｓｋｙＢ、Ｃａｎａｌ  Ｐｌｕｓなどの会社で行われており、また日本ではＪＳＡＴ（Ｊａｐａｎ  Ｓａｔｅｌｉｔｅ  Ｉｎｃ．）がビジネスを開始している。ＱＰＳＫ（ＱｕａｄｒａｔｕｒｅＰＳＫ，４位相偏移変調）復調２は、ＰＳＫ（１ビット）に対して同じ周波数の搬送波で２倍の情報量（２ビット）をおくることが出来る変調方式を復調する手段である。デスクランブル３は、ペイ・パー・ビュー（ＰＰＶ）などの契約形態のためにあるいは著作権主張されているコンテンツのために暗号化されているデータを復号化する手段である。デマルチプレクサ４は、多重化されている番組や番組に関する付加情報を分離する手段である。トランスポートデコーダ５は、ＭＰＥＧ２トランスポートストリームに時分割多重されているＡＶデータを分離し、エレメンタリーパケットにする手段である。ＭＰＥＧ２デコーダ６は、圧縮されているＡＶデータを伸長する手段である。
【００１１】
チューナブロック制御部７は、受信手段７０を制御する手段である。システム制御部８は、電子番組情報表示装置を制御する手段である。ＥＰＧデータ管理部９は、番組情報デコーダ１０でデコードされたＥＰＧ情報の管理を行う手段である。番組情報デコーダ１０は、番組に関するＥＰＧ情報を分離する手段である。入力部１１は、ＥＰＧ情報をモニタに表示するための操作命令と、チャンネルを選択する命令を視聴者が入力する手段である。ＥＰＧ画面生成部１２は、ＥＰＧ情報を表示する画面を生成する手段である。画面合成部１３は、ＭＰＥＧ２デコーダ６で伸長されたＡＶデータとＥＰＧ画面生成部１２で生成されたＥＰＧ情報を合成したり、また番組のみまたはＥＰＧ表示画面のみを表示するデータを生成する手段である。ＮＴＳＣエンコーダ１４はデジタル形式のＡＶデータをＮＴＳＣ方式のアナログ映像音声信号に変換する手段である。モニタ１５はＮＴＳＣ方式の映像信号を画面に表示する手段である。
【００１２】
次にこのような従来の電子番組情報表示装置の動作を説明する。
【００１３】
通信衛星からダウンリンクされた放送波はＣＳチューナ１で受信された後、ＱＰＳＫ復調２で復調される。さらにＰＰＶなどの番組や著作権主張されているために暗号化されているデータは、デスクランブル３で暗号を解かれる。このデータは、多重化されているので、デマルチプレクサ４により多重化されている番組や番組に関する付加情報を分離し、番組情報デコーダ１０とトランスポートデコーダ５に渡される。トランスポートデコーダ５は、ＭＰＥＧ２トランスポートストリームに時分割多重されているＡＶデータを分離し、エレメンタリーパケットにし、ＭＰＥＧ２デコーダ６に渡す。さらにＭＰＥＧ２デコーダは、圧縮されているデータを伸長し、画面合成部１３に渡す。
【００１４】
番組情報デコーダ１０は、番組に付加されているＥＰＧ情報を分離し、ＥＰＧデータ管理部９に渡す。ＥＰＧデータ管理部９は、ＥＰＧ情報を格納し、必要に応じて格納されているＥＰＧ情報の一部または全部をＥＰＧ画面生成部１２に渡す。ＥＰＧ画面生成部１２は、ＥＰＧ情報を表示するための画面を生成し、画面合成部１３に渡す。
【００１５】
画面合成部１３は、ＭＰＥＧ２デコーダ６で伸長されたＡＶデータとＥＰＧ画面生成部１２で生成されたＥＰＧ情報を合成したり、また番組のみまたはＥＰＧ表示画面のみを表示するために前述した２種類のデータを合成し、ＮＴＳＣエンコーダ１４に渡す。ＮＴＳＣエンコーダ１４は、デジタル形式のＡＶデータをＮＴＳＣ方式のアナログ映像音声信号に変換し、モニタ１５に出力する。最後にモニタ１５はＮＴＳＣ方式の映像信号を画面に表示する。
【００１６】
以上の処理は入力部１１で、電子番組情報表示装置を操作する命令が入力された際に行われる。入力部１１は、電子番組情報表示装置本体の操作パネルやリモコン等から入力された命令を電子番組情報表示装置に入力する。この操作命令は、ＥＰＧデータ管理部９を介して、システム制御部８に送られる。システム制御部８は、チューナブロック制御部７とＥＰＧデータ管理部９を制御する。チューナブロック制御部７は受信手段７０を前述したように制御する。
【００１７】
このようにすれば図５に示した番組情報表示例をモニタ１５に表示することが出来、このＥＰＧ情報に基づいて視聴者はチャンネルを選択したり録画予約したりすることが出来る。
【００１８】
【発明が解決しようとする課題】
しかし、上述したように従来のＥＰＧ表示例では、ＥＰＧ情報を表示する時間帯が所定の時刻を中心として、２時間と固定されてしまうという問題がある。すなわち所定の時刻を中心として、未来と過去それぞれ１時間分のＥＰＧ情報は画面に表示されるがそれ以外の時間帯のＥＰＧ情報はスクロールしないと画面に表示されず、ＥＰＧ全体を俯瞰することができない。そこでＥＰＧ情報のなるべく広い範囲を一度に俯瞰するためにＥＰＧ情報を表示する時間幅を２時間でなくて３時間にすることも考えられる。また５時間にすることも考えられる。しかしＥＰＧ情報を表示する時間幅を大きくすると、ＥＰＧ情報を表示するスペースが小さくなる。またチャンネル数が多くある場合には、多くのチャンネルを表示しようとすると、番組欄自体が小さくなり、番組欄に記載される文字が小さくなって見づらくなるといった問題が生じる。
【００１９】
ＥＰＧ情報を一度に画面に表示する時間帯とチャンネル数を増やした場合は、各番組の情報を表示するスペースが小さくなり、ＥＰＧ情報を表示する文字を小さくしないといけない。このような場合高齢者にとっては小さな文字を読むのが辛くなり、読み辛いＥＰＧ情報表示画面になるという課題がある。
【００２０】
また、画面に表示する時間帯とチャンネル数を増やさない場合でも、表示する各番組のＥＰＧの情報量を増やすと、表示する文字が小さくなり、高齢者にとって文字が読みにくくなり、結果的にＥＰＧ情報が非常に読み辛くなるという課題がある。
【００２１】
本発明は従来の電子番組情報表示装置では高齢者にとっては、ＥＰＧ情報に表示される文字が小さいので、読み辛いという課題を考慮し、高齢者にとってもＥＰＧ情報の内容を容易に理解出来る電子番組情報表示装置及びプログラム記録媒体を提供することを目的とするものである。
【００２２】
【課題を解決するための手段】
上述した課題を解決するために、第１の本発明は、番組の放送を受信する受信手段と、
前記受信手段で受信された電子番組情報を標準電子番組情報表示形式で表示する第１電子番組情報表示手段と、
前記標準電子番組情報表示形式に較べて、その電子番組情報の中の少なくともシンボルの部分が拡大し、もしくは新たに少なくともシンボルが追加され、また前記標準電子番組情報表示形式のテキスト部分の全部または一部が変形されもしくは削除される特殊電子番組情報表示形式で、前記電子番組情報を表示する第２電子番組情報表示手段とを備え、
前記第２電子番組情報表示手段は、前記番組の放映時間が所定の時間よりも長い場合、前記シンボルに加えて、前記番組のテキストデータも表示することを特徴とする電子番組情報表示装置である。
また、第２の本発明は、番組の放送を受信する受信手段と、
前記受信手段で受信された電子番組情報を標準電子番組情報表示形式で表示する第１電子番組情報表示手段と、
前記標準電子番組情報表示形式に較べて、その電子番組情報の中の少なくともシンボルの部分が拡大し、もしくは新たに少なくともシンボルが追加され、また前記標準電子番組情報表示形式のテキスト部分の全部または一部が変形されもしくは削除される特殊電子番組情報表示形式で、前記電子番組情報を表示する第２電子番組情報表示手段とを備え、
前記第２電子番組情報表示手段は、前記番組の放映時間が所定の時間よりも長い場合、前記番組内の代表画面を追加表示することを特徴とする電子番組情報表示装置である。
また、第３の本発明は、番組の放送を受信する受信手段と、
前記受信手段で受信された電子番組情報を標準電子番組情報表示形式で表示する第１電子番組情報表示手段と、
前記標準電子番組情報表示形式に較べて、その電子番組情報の中の少なくともシンボルの部分が拡大し、もしくは新たに少なくともシンボルが追加され、また前記標準電子番組情報表示形式のテキスト部分の全部または一部が変形されもしくは削除される特殊電子番組情報表示形式で、前記電子番組情報を表示する第２電子番組情報表示手段とを備え、
前記第２電子番組情報表示手段は、前記番組の放映時間が所定の時間よりも短かい場合、前記シンボル及び前記テキスト部分を表示せず、カーソルが前記番組欄に位置したとき、前記番組欄を拡大して、少なくとも前記シンボルを表示することを特徴とする電子番組情報表示装置である。
また、第４の本発明は、前記シンボルは番組放送に多重化されていることを特徴とする第１〜３の本発明のいずれかの電子番組情報表示装置である。
また、第５の本発明は、前記シンボルは電子番組情報表示装置自らが作成することを特徴とする第１〜３の本発明のいずれかの電子番組情報表示装置である。
また、第６の本発明は、前記受信手段が受信した、所定の時間に放送される前記シンボルと前記シンボルに対応付けられたシンボルＩＤを保存しておく格納手段を備え、
前記受信手段は、番組放送に多重化されて伝送される番組を一意に特定する番組ＩＤと前記番組に対応するシンボルＩＤを受信し、
前記第２電子番組情報表示手段は、前記番組ＩＤに対応付けられたシンボルＩＤで特定されたシンボルを表示することを特徴とする第１〜３の本発明のいずれかの電子番組情報表示装置である。
また、第７の本発明は、前記シンボル及び前記シンボルを一意に特定するシンボルＩＤが放送とは異なる媒体で提供され、前記媒体を通じて前記シンボル及び前記シンボルＩＤを受信し保存する読み取り手段と、
前記電子番組情報で番組を一意に特定する番組ＩＤを抽出し前記シンボルＩＤと対応付ける対応付け手段とを備え、
前記第２電子番組情報表示手段は、前記番組ＩＤに対応付けられたシンボルＩＤで特定されたシンボルを表示することを特徴とする第１〜３の本発明のいずれかの電子番組情報表示装置である。
また、第８の本発明は、前記シンボル及び前記番組ＩＤがインターネット経由で提供されることを特徴とする第７の本発明の電子番組情報表示装置である。
また、第９の本発明は、前記シンボル及び前記番組ＩＤが可搬性記録媒体で提供されることを特徴とする第７の本発明の電子番組情報表示装置である。
また、第１０の本発明は、前記受信手段は、前記番組を受信し、前記第２電子番組情報表示手段は、受信された前記番組の内容から１画面または複数画面を取り込んで前記シンボルとして利用することを特徴とする第５の本発明の電子番組情報表示装置である。
また、第１１の本発明は、前記第２電子番組情報表示手段は、前記番組が所定の回数を単位として一定期間内で順次放映される継続型番組である場合、前記継続型番組で同一の前記シンボルを用いることを特徴とする第１〜１０の本発明のいずれかの電子番組情報表示装置である。
また、第１２の本発明は、第１〜１１の本発明のいずれかの電子番組情報表示装置の各手段の機能をコンピュータで実行させるためのプログラムを格納していることを特徴とするプログラム記録媒体である。
【００３６】
【発明の実施の形態】
以下に本発明の実施の形態について図面を参照して説明する。
【００３７】
（第１の実施の形態）
第１の実施の形態ではＣＳ放送を受信して、番組を視聴する場合の電子番組情報表示装置を例にあげて説明する。
【００３８】
図１は、第１の実施の形態の電子番組情報表示装置の構成を示すブロック図である。
【００３９】
電子番組情報表示装置は、ＣＳチューナ１、ＱＰＳＫ復調２、デスクランブル３、デマルチプレクサ４、トランスポートデコーダ５、ＭＰＥＧ２デコーダ６、チューナブロック制御部７、システム制御部８、ＥＰＧデータ管理部９、番組情報デコーダ１０、入力部１１、ＥＰＧ画面生成部１２、画面合成部１３、ＮＴＳＣエンコーダ１４、モニタ１５、ＥＰＧデータデータベース化１６、データベースメモリ１７、シンボル情報検出１８、メモリアクセス制御１９、シンボルデータ記憶メモリ２０、バッファメモリ２１、外部機器制御部２２から構成されている。
【００４０】
またＩＥＥＥ１３９４バス２５には、Ｄ−ＶＨＳ２３、ＨＤＤ２４が接続された構成となっている。
【００４１】
ここで、従来の技術と同様に、ＣＳチューナ１、ＱＰＳＫ復調２、デスクランブル３、デマルチプレクサ４、トランスポートデコーダ５、ＭＰＥＧ２デコーダ６をまとめて受信手段７０と呼ぶことにする。
【００４２】
システム制御部８は、入力部１１から入力された操作命令に基づいて電子番組情報表示装置全体を制御する手段である。外部機器制御部２２は、システム制御部８の制御に従って、ＩＥＥＥ１３９４バス２５に接続されている外部機器を制御する手段である。チューナブロック制御部７は、システム制御部８の制御に従って、受信手段７０を制御する手段である。
【００４３】
受信手段７０の各構成要素は、従来の技術で説明したものと同一であるので、ここでは記述を割愛する。
【００４４】
ＥＰＧデータ管理部９は、システム制御部８の制御に基づいて、ＥＰＧデータを管理し、番組を一意に特定するＩＤとシンボル（シンボルの定義については後述する）を一意に特定するシンボルのＩＤとの組も管理し、また、入力部１１で入力された操作命令をシステム制御部８に中継する手段である。
【００４５】
ＥＰＧデータデータベース化１６は、ＥＰＧ情報をデータベース化するとともに、番組を一意に特定する番組ＩＤとシンボルを一意に特定するシンボルのＩＤとを組にしてデータベース化し、シンボルとともに、データベースメモリ１７に格納する手段である。データベースメモリ１７は、ＥＰＧデータデータベース化１６でデータベース化されたものを格納する手段である。
【００４６】
シンボルデータ情報検出手段１８は、デマルチプレクサ４から送られてくるシンボルとシンボルを一意に特定するＩＤとを検出し、メモリアクセス制御手段１９に送る手段である。メモリアクセス制御手段１９は、バッファメモリ２１に記録されているシンボルにアクセスし、特定のシンボルを選択し、選択されたシンボルを一意に特定するＩＤを付与する手段である。シンボルデータ記憶メモリ２０はバッファメモリ２１に記録されているシンボルとシンボルのＩＤを組にして記録する手段である。バッファメモリ２１は、ＭＰＥＧ２デコーダ６で伸長されたＡＶデータを一時的に記録する手段である。
【００４７】
番組情報デコーダ１０は、デマルチプレクサ４から送られてくるＥＰＧ情報を取り出し、ＥＰＧデータデータベース化１６に送る手段である。
【００４８】
Ｄ−ＶＨＳ２３とＨＤＤ２４は、ＩＥＥＥ１３９４バス２５に接続され、本実施の形態の電子番組情報表示装置の制御に従って録画再生及び録画再生予約を行う手段である。ＩＥＥＥ１３９４バス２５はＤ−ＶＨＳ２３、ＨＤＤ２４及び本実施の形態の電子番組情報表示装置との間でＡＶデータとコマンドのやり取りを行う手段である。
【００４９】
ＥＰＧ画面生成部１２は、ＥＰＧ情報を表示する画面データを生成する手段である。画面合成部１３は、ＭＰＥＧ２デコーダでデコードされたＡＶデータとＥＰＧ画面生成部１２で生成されたＥＰＧ画面データを合成したり、また番組のみまたはＥＰＧ表示画面のみを表示するデータを生成する手段である。ＮＴＳＣエンコーダ１４はデジタル形式のＡＶデータをＮＴＳＣ方式のアナログ映像音声信号に変換する手段である。モニタ１５はＮＴＳＣ方式の映像信号を画面に表示する手段である。
【００５０】
次にこのような本実施の形態の動作を説明する。
【００５１】
図２に本実施の形態のＥＰＧ画面表示例を示す。この画面の説明は後述する。
【００５２】
通信衛星からダウンリンクされた放送波はＣＳチューナ１で受信された後、ＱＰＳＫ復調２で復調される。さらにＰＰＶなどの番組や著作権主張されているために暗号化されているデータは、デスクランブル３で暗号を解かれる。このデータは、多重化されているので、デマルチプレクサ４により多重化されている番組や番組に関する付加情報を分離し、番組情報デコーダ１０とシンボルデータ情報検出１８とトランスポートデコーダ５に渡される。トランスポートデコーダ５は、ＭＰＥＧ２トランスポートストリームに時分割多重されているＡＶデータを分離し、エレメンタリーパケットにし、ＭＰＥＧ２デコーダ６に渡す。さらにＭＰＥＧ２デコーダは、圧縮されているデータを伸長し、バッファメモリ２１に渡す。
【００５３】
以上の動作は入力部１１で、視聴者がチャンネルの選択をおこなった際に実施され、システム制御部８からの命令で、チューナブロック制御部７の制御に基づいて行われる。
【００５４】
入力部１１は、視聴者が視聴したいチャンネルを指定して、現在放送中の番組を視聴できるようシステム制御部８に指示を出すことも出来るし、またＥＰＧ情報をモニタ１５に表示するようシステム制御部８に指示を出すことも出来る。ＥＰＧ情報を表示する場合にも二通りのモードがあって、一つは従来の技術で説明したようなテキストに基づく表示である。もう一つは、高齢者などが容易に理解出来る表示である。なお、本実施の形態のＥＰＧ情報を表示するモードのうち従来の技術で説明したようなテキストに基づく表示は請求項１記載の標準電子番組情報表示形式の例であり、高齢者などが容易に理解出来る表示は請求項１記載の特殊電子番組情報表示形式の例である。
【００５５】
以下入力部１１で、視聴者がＥＰＧ情報をモニタ１５に表示することを指示し、しかも高齢者でも容易に理解出来るように表示する場合について説明する。
【００５６】
この場合、デマルチプレクサ４から送られてきたデータから、シンボルデータ情報検出１８でシンボルが検出される。そしてメモリアクセス制御１９に送られ、シンボルのＩＤとともにシンボルデータ記憶メモリ２０に記憶される。
【００５７】
同時にデマルチプレクサ４は、番組情報デコーダ１０にデータを送り、番組情報デコーダ１０でＥＰＧ情報が検出され、ＥＰＧデータデータベース化１６でデータベース化される。この時ＥＰＧデータデータベース化１６は、シンボルデータ記憶メモリのシンボルのＩＤとＥＰＧ情報の番組名を一意に特定する番組ＩＤを組にしてデータベース化する。このように本実施の形態では番組ＩＤとシンボルが同時に送られてくる。
【００５８】
ＥＰＧデータ管理部９は、ＥＰＧデータを管理し、番組を一意に特定するＩＤとシンボルを一意に特定するシンボルのＩＤとの組も管理する。このようにＥＰＧデータ管理部９はＥＰＧ情報と、ＩＤが付与された番組とその番組ＩＤに対応するシンボルを組にして管理する。
【００５９】
さて前述したように図２に高齢者用のＥＰＧ情報表示画面の例を示す。ＥＰＧ画面生成部１２は、ＥＰＧデータ管理部９で管理されているＥＰＧ情報とシンボルからＥＰＧ画面データを生成する。ＥＰＧ画面生成部１２は、番組ＩＤに対応するシンボルを番組欄に追加して表示するデータを生成する。また場合によっては、番組名を表示する代わりにその番組に対応するシンボルを番組表示欄に表示するＥＰＧ画面データを生成する。また場合によっては、そのシンボルの部分を番組表示欄いっぱいに拡大して表示するよう設定したり、また番組欄が小さい場合には、その番組の出演者などの詳細情報を説明するテキスト等を表示しないようにする。あるいは詳細情報を手短に要約したテキストを表示するようにする。そしてＮＴＳＣエンコーダ１４を介してモニタ１５にＥＰＧ画面が表示される。
【００６０】
図２の８０はアナウンサーが原稿を読んでいるシンボルである。このシンボルを見れば、ＮＨＫ総合の１９時から１９時３０分までの番組はニュース番組であることが容易に解る。また８５は、赤ずきんのシンボルである。このシンボルから８５の表している番組は漫画の赤ずきんであることが解る。
【００６１】
図２で明らかなように、番組が長時間放送される場合、すなわち番組表示欄の面積が広い場合は、番組に対応するシンボルのみならず番組を紹介するテキスト情報等も表示する。あるいは番組表示欄の面積が広い場合は、前記画面合成部１３でＥＰＧ画面と、番組の代表画面とが合成されてその番組欄に代表画面を表示することも出来る。８１には、世界紀行のシンボルが表示されている。８１は一時間番組であり、シンボルが一つ表示されており、余白は空白のまま表示されている。８３には葵の紋と水戸黄門のシンボルが表示されている。葵の紋から８３の番組は水戸黄門であることが解る。さらに８３の水戸黄門は毎日放送の２０時から２１時まで放送される番組であり、番組表示欄の面積が広いので、葵の紋の下に放送局から送られてきた番組から代表画面を抜き出して表示している。すなわち水戸黄門の顔写真が表示されている。なお番組の代表画面を取り出して、番組欄に表示する場合は第３の実施の形態で説明する。８６は、２時間番組であり、野球のバッターのシンボルが表示されている。その上と下にはそれぞれタイガースのマークとジャイアンツのマークが表示されている。このことから８６は、タイガース対ジャイアンツのプロ野球中継であることが解る。また８７はサーッカーボールのシンボルと、ガンバとレイソルのロゴが表示されている。このことから８７はＪリーグの試合の中継であり、ガンバとレイソルが対戦することが解る。ガンバとレイソルはテキストをシンボルに変換して表示した例である。
【００６２】
しかし、番組表示欄は必ずしも十分面積が広いとは限らない。天気予報や、ニュース番組など番組放映時間の短い番組もある。このような場合番組表示欄の面積は小さくなる。この場合は、番組を表すシンボルもテキストも表示しない。ただし、入力部１１でカーソルを移動し、その指示がＥＰＧデータ管理部９からＥＰＧ画面生成部１２を経由し、画面合成部１３、ＮＴＳＣエンコーダ１４からモニタに１５に表示された場合に、カーソルを移動して面積の小さい番組表示欄に位置した時には、その番組欄を拡大して番組に対応するシンボルを表示する。またその番組欄を十分大きく拡大できる場合には出演者などを説明する番組詳細情報を表示する。ただしカーソルの移動は入力部１１を構成するリモコンまたは本実施の形態の電子番組情報表示装置に配備されている操作パネルにより行う。図２の８４は。番組表示欄の面積が小さい番組の上にカーソルが位置しているときに番組欄を拡大して表示している例である。８４のシンボルから明らかなように、この番組は天気予報であることが解る。
【００６３】
図３にリモコンの例を示す。
【００６４】
図３において、カーソルは、未来プログラムへ５１、過去プログラムへ４８、Ｃｈ切り替え４９、Ｃｈ切り替え５０の各ボタンを押すことにより、それぞれ、上向き、下向き、左向き、右向きに移動する。なお図３のリモコンは、種々のモード切り替えが出来る。例えばＥＰＧ情報表示画面のスクロールを行うことが出来る。またカーソルをＥＰＧ画面上で移動し、番組欄を選択することによって、番組の録画、再生、録画予約、視聴予約などを行うことが出来る。またそれらの処理を行う際、ＨＤＤやＶＣＲなどの記録再生装置を選択することなども出来る。リモコンについては、第３の実施の形態で再び説明する。
【００６５】
このように、本実施の形態によれば、高齢者でも番組情報を容易に理解出来、多チャンネル対応の放送でも容易に番組を選択し視聴することが出来る。
【００６６】
なお、番組を表すシンボルは、その番組を連想により特定出来るようなものであればよく、例えば野球の中継の場合には選手がバットをふっているようなシンボルであればよい。さらにそのシンボルに簡単なｇｉｆアニメーションを適用し、選手が実際にバットを降っているこま送りのシンボルを表示することも出来る。
【００６７】
さらに、番組ＩＤとそのＩＤに対応するシンボルの入手先は、放送局から送られてくるものに限るものではなく、例えばインターネットの配信サービスやテレビ番組情報雑誌などに付属するＣＤ−ＲＯＭやフロッピーディスクなどの可搬性記録媒体なども利用することが出来る。この場合、番組ＩＤとそのＩＤに対応するシンボルを記録媒体やインターネットの配信サービルから読み取る読み取り手段と、ＥＰＧ情報から抽出した番組ＩＤとシンボルＩＤを対応付ける対応つけ手段とを本実施の形態に加えて備える。そして、読み取り手段で読み取られた番組ＩＤとそのＩＤに対応するシンボルは、対応付け手段によって対応付けられた番組ＩＤとシンボルＩＤ、及びそのシンボルＩＤに対応するシンボルはシンボルデータ記憶メモリ２０に格納される。これ以降は本実施の形態と同様である。
【００６８】
さらに、番組ＩＤとそのＩＤに対応するシンボルは、ＣＳチューナ１が受信する番組の内容を、放送するチャンネルから入手する構成にすることも出来る。また、ＩＤとそのＩＤに対応するシンボルは、ＣＳチューナ１が受信するプロモーションチャンネルから入手するように構成することの出来る。
【００６９】
さらに、本実施の形態ではＣＳ放送を例にあげて説明したが、ケーブルテレビなどでもよく、要するにＥＰＧ情報を有する放送規格でありさえすればよい。
【００７０】
さらにヨーロッパ等のアナログ放送の場合、ＶＰＳ（Ｖｉｄｅｏ  Ｐｒｏｇｒａｍｍ  Ｓｙｓｔｅｍ）やＰＤＣ（Ｐｒｏｇｒａｍｍ  Ｄｅｌｉｖｅｒｙ  Ｃｏｎｔｒｏｌ）などの規格で定められているように番組ラベルを用いるものがある。番組ラベルは、各番組毎に固有な値を持つ必要があるので、通常その番組を放送する放送局のコードとその番組が放送を開始する月、日、時、分とより生成される。このような番組ラベルを番組を一意に特定する番組ＩＤに用いることも可能である。
【００７１】
（第２の実施の形態）
次に第２の実施の形態について図１を参照して説明する。
【００７２】
本実施の形態では第１の実施の形態との相違点を中心に説明する。
【００７３】
本実施の形態では、第１の実施の形態とは異なり、シンボルがＥＰＧ情報に先だって予め送られてきており、そのシンボルを番組と対応付けることによってＥＰＧ情報を表示する場合を説明する。
【００７４】
本実施の形態の構成は第１の実施の形態と同一であるので説明を省略する。
【００７５】
次に本実施の形態の動作のうち第１の実施の形態との相違点を中心に説明する。  まず、ＣＳチューナ１は、一定の期間例えば１週間毎に、番組を表すシンボルとそのシンボルのＩＤを受信する。受信されたシンボルとシンボルのＩＤは第１の実施の形態と同様にしてシンボルデータ記憶メモリ２０に記憶される。
【００７６】
次にＣＳチューナ１は、番組を一意に特定する番組ＩＤとシンボルのＩＤとの組情報を受信し、第１の実施の形態と同様にしてＥＰＧデータデータベース化１６でその組情報もデータベースメモリ１７にデータベースとして格納する。ＥＰＧ画面生成部１２は、ＥＰＧデータ管理部９で管理されたデータベースをもとに番組ＩＤとシンボルのＩＤとの組情報からＥＰＧ画面を生成し、第１の実施の形態と同様にモニタ１５に表示する。
【００７７】
本実施の形態によれば、第１の実施の形態と同様に、高齢者でも番組情報が容易に理解出来、多チャンネル対応の放送でも容易に番組を選択し視聴することが出来る。またシンボルをいくつかの番組で使い回しすることが出来るので、シンボルデータ記憶メモリ２０で記憶するシンボルを少なくすることが出来、シンボルデータ記憶メモリ２０を有効利用することが出来る。
【００７８】
（第３の実施の形態）
次に第３の実施の形態について図１を参照して説明する。
【００７９】
本実施の形態では、番組を表すシンボルが放送局から送られてくるのではなく、放送局からおくられてくる番組の画像から作成する場合を説明する。さらにＥＰＧ表示画面を使用して外部機器を操作する場合を説明する。
【００８０】
本実施の形態の構成は第１の実施の形態と略同一である。第１の実施の形態との相違点を中心に説明する。
【００８１】
図１に本実施の形態の電子番組情報表示装置を示す。
【００８２】
前述したように、バッファメモリ２１は、ＭＰＥＧ２デコーダで伸長された番組のＡＶデータを一時的に記録し、記録したＡＶデータはメモリアクセス制御手段１９にアクセスされ、シンボルデータ記憶メモリ２０にシンボルとして記憶され、その際シンボルを一意に特定するＩＤもシンボルデータ記憶手段２０に記憶される。
【００８３】
次にこのような本実施の形態の動作を説明する。
【００８４】
本実施の形態ではＣＳチューナ１で受信したチャンネルの番組やＥＰＧ情報を用いて番組を表すシンボルを本実施の形態の電子番組情報表示装置自らが作成する。まず、ＭＰＥＧ２デコーダから得られるＡＶデータをバッファメモリ２１に一時的に記録する。そして、デマルチプレクサ４から得られる情報がシンボルデータ情報検出１８に渡される。シンボルデータ情報検出１８にはどの番組のどの画面をシンボルとして使用するかの指示が送られてきている。これは放送局から送られてくるものである。この指示に従って、バッファメモリから画面を特定し、シンボルデータ記憶メモリ２０に格納する。それと同時にメモリアクセス制御１９は選別した画面をシンボルとして一意に特定するためのＩＤもシンボルデータ記憶メモリ２０に格納する。このようにしてＥＰＧ情報を表示するシンボルとシンボルを一意に特定するＩＤがシンボルデータ記憶メモリ２０に格納される。
【００８５】
番組情報デコーダ１０は、デマルチプレクサ４からＥＰＧ情報を分離し、ＥＰＧデータデータベース化１６に送る。それと同時にシンボルデータ記憶メモリ２０もシンボルとシンボルのＩＤをＥＰＧデータデータベース化１６に送る。
【００８６】
ＥＰＧデータデータベース化１６は、これらの情報をもとにデータベースを作成し、データベースメモリ１７に格納する。
【００８７】
入力部１１は、チャンネルを選択して番組を視聴したり、従来の技術で説明したＥＰＧ画面を表示するよう指示したり、あるいは、高齢者向けのＥＰＧ画面を表示したり指示する。
【００８８】
本実施の形態では入力部１１が高齢者向けのＥＰＧ画面を表示するように指示した場合を説明する。
【００８９】
入力部１１で、視聴者が、高齢者向けのＥＰＧ画面を表示するように指示した場合、ＥＰＧデータ管理部９は、データベースメモリ１７から、データベースを参照し、ＥＰＧデータデータベース化１６で必要なデータをＥＰＧデータ管理部に送る。ここで必要なデータとは、ＥＰＧ画面に表示する時間帯、チャンネル、番組ＩＤ、シンボルのＩＤ等である。ＥＰＧデータ管理部９は、このようなデータを用いてＥＰＧ画面を作成する。作成方法は、番組ＩＤと対応しているシンボルのＩＤを用いて第１の実施の形態で説明したことと同様のことを行う。
【００９０】
また、ＥＰＧデータ管理部９は、例えば毎週放送されるようなドラマ等の連続番組に対しては、毎回同一のシンボルを用いるようにＥＰＧ画面を構成する。そして、ＥＰＧ画面生成部１２は、ＥＰＧデータ管理部９から送られてくる情報に基づき実際のＥＰＧ表示画面のレイアウトを行う。このレイアウト例も第１の実施の形態で説明したものと同一である。
【００９１】
図２の８２にはスパゲッティーのシンボルの上に今日の料理と書かれている。このシンボルは放送局から送られてくる番組から抜き出した例である。また前述したように８３の水戸黄門の顔写真も放送局から送られてくる番組から抜き出した例である。８１は、世界紀行のタイトル画面を番組表示欄に表示した例である。
【００９２】
画面合成部１３で現在放送されている画面と合成を行ったり、あるいはＥＰＧ画面のみを表示するように設定する。そしてＮＴＳＣエンコーダ１４に渡し、実際にモニタ１５に表示する。
【００９３】
また入力手段１１は、ＥＰＧ表示画面をカーソルで移動し、番組を選択することによって録画や録画予約、あるいは再生、再生予約をすることが出来る。カーソルで番組表示欄の番組を表すシンボルを選択するとその情報は外部機器制御部２２に渡り、Ｄ−ＶＨＳ２３あるいはＨＤＤ２４に録画予約等が行われる。入力手段１１での操作はリモコンあるいは本実施の形態の電子番組情報表示装置本体で行われる。
【００９４】
このようなリモコンの例を図３に示し、簡単にリモコンによる操作を説明する。デバイス４１は、Ｄ−ＶＨＳ２３かＨＤＤ２４かを選択する手段であり、このボタンを押すと、ＥＰＧ表示画面のサブメニューが現れ、Ｄ−ＶＨＳ２３かＨＤＤ２４を選択することが出来る。Ｃｈ切り替え４９、過去プログラムへ４８、Ｃｈ切り替え５０、未来プログラムへ５１は、ＥＰＧ画面に表示されるカーソルの移動に用いることが出来る。また、モード切替５６によってＥＰＧ画面をスクロールするモードにすると、Ｃｈ切り替え４９、過去プログラムへ４８、Ｃｈ切り替え５０、未来プログラムへ５１は、ＥＰＧ画面表示をスクロールするのに用いることが出来る。カーソルを録画予約したい番組欄に位置するように移動し、録画４５を押せば、録画予約を行うことが出来る。
【００９５】
このように本実施の形態によれば高齢者でも番組情報が容易に理解出来、多チャンネル対応の放送でも容易に番組を選択し視聴することが出来る。
【００９６】
なお、本実施の形態ではＩＥＥＥ１３９４バスにはＤ−ＶＨＳとＨＤＤが接続されているとして説明したが、これに限らず光ディスク装置、ＤＶＤーＲＡＭ、ＡＶデータを記録再生出来るパーソナルコンピュータ（ＰＣ）など要するに一台もしくは複数台の記録再生出来る装置が接続されていさえすればよい。
【００９７】
（第４の実施の形態）
次に第４の実施の形態について図４を参照して説明する。
【００９８】
本実施の形態では、第１〜第３の実施の形態で用いられたシンボルの定義を行う。
【００９９】
通常の文字またはテキストは、読み手が文字またはテキストを読むことによって解釈し、その意味するところを理解するものである。
【０１００】
これに対してシンボルは、それを見る人の連想によって内容を伝えるためのシンボルである。
【０１０１】
つまり文字またはテキストは、読み手の解釈が必要となるが、シンボルは連想によってその意味を伝えることが出来る。
【０１０２】
以上をまとめると図４の（ａ）のようになる。
【０１０３】
またシンボルの例としては、番組のシーンのうちその番組を特定できる画面の縮小画像、ロゴ、飾り文字、ビットマップ、画像、イラストなどである。
【０１０４】
以上をまとめると図４の（ｂ）のようになる。
【０１０５】
番組を特定できる画面の縮小画像としては、例えば漫画の場合であれば漫画に登場する主人公のキャラクターを画像にすれば何の番組かを知ることが出来る。相撲などであれば力士が相撲をしている場面を画像にすれば相撲の番組であることを知ることが出来る。あるいは力士が相撲をとっている場面のイラストでも構わないし、漫画に登場する主人公のイラストでもよい。
【０１０６】
しかもこのように定義されたシンボルを番組欄に収まる範囲で大きく表示すれば、高齢者でも連想を働かして容易に理解出来る。
【０１０７】
またシンボルは番組名を表すのみならず、番組のジャンルを表すのにも使用することが出来る。
【０１０８】
ただし、高齢者向けであるので、これらのシンボルは小さくては見にくいのである程度大きいものが必要である。
【０１０９】
要するに本実施の形態で説明したシンボルとは、見る人の連想によって内容を伝えることが出来るものであればどんなものであっても構わない。
【０１１０】
なお、本実施の形態のＣＳチューナ、ＱＰＳＫ復調、デスクランブル、デマルチプレクサ、トランスポートデコーダ、ＭＰＥＧ２デコーダは本発明の受信手段の例であり、本実施の形態のＥＰＧデータ管理部、ＥＰＧ画面生成部、画面合成部は本発明の第１電子番組情報表示手段の例であり、本実施の形態のＥＰＧデータ管理部、ＥＰＧ画面生成部、画面合成部も本発明の第２電子番組情報表示手段を兼ねており、本実施の形態のシンボルデータ記憶メモリは本発明の格納手段の例である。また本実施の形態のＥＰＧ情報は本発明の電子番組情報の例である。
【０１１１】
さらに、本実施の形態ではＣＳ放送を例にあげて説明したがこれに限らず、ケーブルテレビジョン放送や地上波による放送など、要するに、ＥＰＧを利用できる放送でありさえすればよい。
【０１１２】
さらにＥＰＧ情報とシンボルは、本実施の形態で説明したように、放送局からの番組内容送信チャンネルやプロモーションチャンネルから得られるものやインターネットから得られるものに限らない。ＣＤーＲＯＭなどの記録媒体からＥＰＧ情報やシンボルを本発明の電子番組情報表示装置に入力するものであっても構わない。
【０１１３】
さらに、第１の実施の形態や第２の実施の形態ではシンボルは放送局から送られるものを用いた。また第３の実施の形態ではシンボルを本実施の形態の電子番組情報表示装置が作成した。しかしこれに限らず同時に一部のシンボルを放送局からおくられてくるものを使用し、また一部のシンボルを本実施の形態の電子番組情報表示装置で作成してもよい。
【０１１４】
さらに本発明の電子番組情報表示装置を構成する各手段は専用のハードウェアを用いてその機能を実現しても構わないし、またコンピュータのプログラムによってソフトウェア的に実現しても構わない。
【０１１５】
さらに本発明の電子番組情報表示装置に各手段の全部または一部の機能をコンピュータで実行させるためのプログラムを記録したことを特徴とするプログラム記録媒体も本発明に属する。
【０１１６】
【発明の効果】
以上説明したところから明らかなように、本発明は高齢者にとってもＥＰＧ情報の内容を容易に理解出来る電子番組情報表示装置及びプログラム記録媒体を提供することが出来る。
【図面の簡単な説明】
【図１】本発明の第１〜３の実施の形態における情報表示装置の構成を示すブロック図
【図２】本発明の第１〜３の実施の形態における電子番組情報表示装置で表示したＥＰＧ画面の表示例を示す図
【図３】本発明の第１〜３の実施の形態における電子番組情報表示装置を操作するリモコンを示す図
【図４】（ａ）本発明の第１〜４の実施の形態で使われるシンボルの意味を説明をする図
（ｂ）本発明の第１〜４の実施の形態で使われるシンボルの例を説明する図
【図５】従来のＥＰＧ表示画面の表示例を示す図
【図６】従来の情報表示装置の構成を示すブロック図
【符号の説明】
１  ＣＳチューナ
２  ＱＰＳＫ復調
３  デスクランブル
４  デマルチプレクサ
５  トランスポートデコーダ
６  ＭＰＥＧ２デコーダ
７  チューナブロック図
８  システム制御部
９  ＥＰＧデータ管理部
１１  入力部
１２  ＥＰＧ画面生成部
１３  画面合成部
１４  ＮＴＳＣエンコーダ
１５  モニタ
１６  ＥＰＧデータデータベース化
１７  データベースメモリ
１８  シンボルデータ情報検出
１９  メモリアクセス制御手段
２０  シンボルデータ記憶メモリ
２１  バッファメモリ
２２  外部機器制御部
２３  Ｄ−ＶＨＳ
２４  ＨＤＤ
２５  ＩＥＥＥ１３９４バス
【図１】
0003607835.tif 000002
【図２】
0003607835.tif 000003
【図３】
0003607835.tif 000004
【図４】
0003607835.tif 000005
【図５】
0003607835.tif 000006
【図６】
0003607835.tif 000007